(57)【要約】【課題】通電遮断部を適切な位置に配置することにより、製品のコスト上昇を抑えつつ、安全性を確保する定着装置及び画像形成装置を提供する。【解決手段】定着装置は、所定の幅の加熱回転体９ａであり、幅方向における中央部９ｑを昇温させる第１昇温部９ｃと、幅方向における端部９ｍ、９ｎを昇温させる第２昇温部９ｄとを有する加熱回転体９ａと、中央部９ｑに対応して配置され、中央部９ｑの温度が所定の第１温度に到達した場合に第１昇温部９ｃへの通電を遮断する第１通電遮断部９ｅと、端部９ｍ（９ｎ）に対応して配置され、端部９ｍ（９ｎ）の温度が所定の第２温度に到達した場合に第２昇温部９ｄへの通電を遮断する第２通電遮断部９ｆと、中央部９ｑと端部９ｎ（９ｍ）との境界部に対応して配置され、境界部の温度が所定の第３温度に到達した場合に第１昇温部９ｃ及び第２昇温部９ｄへの通電を遮断する第３通電遮断部９ｇとを備える。【選択図】図２
2011112979.tif 000002
【特許請求の範囲】
【請求項１】
所定の幅を有する加熱回転体であって、通電されることにより前記加熱回転体における幅方向の中央部を昇温させる第１昇温部と、通電されることにより前記加熱回転体における幅方向の端部を昇温させる第２昇温部とを有する加熱回転体と、
前記中央部に対応して配置され、前記中央部の温度が所定の第１温度に到達した場合に前記第１昇温部への通電を遮断する第１通電遮断部と、
前記端部に対応して配置され、前記端部の温度が所定の第２温度に到達した場合に前記第２昇温部への通電を遮断する第２通電遮断部と、
前記中央部と前記端部との境界部に対応して配置され、前記境界部の温度が所定の第３温度に到達した場合に前記第１昇温部及び前記第２昇温部への通電を遮断する第３通電遮断部と、を備える
定着装置。
【請求項２】
前記第３通電遮断部は、
前記第１昇温部のみに通電したときに生ずる発熱と、前記第２昇温部のみに通電したときに生ずる発熱とを同様に受ける箇所であって、
前記第１昇温部のみに通電することにより前記加熱回転体の前記中央部を設定温度まで昇温させた場合における前記境界部の温度と、前記第２昇温部のみに通電することにより前記加熱回転体の前記端部を前記設定温度まで昇温させた場合における前記境界部の温度との差が、前記設定温度の１０％の温度以内となる箇所に配置される
請求項１に記載の定着装置。
【請求項３】
表面に静電潜像が形成される像担持体と、
前記像担持体に形成された前記静電潜像にトナー画像を形成する現像器と、
前記像担持体に形成された前記トナー画像を直接的又は間接的に被転写材に転写する転写部と、を備えると共に、
前記転写部により前記被転写材に転写されたトナー画像を前記被転写材に定着させる請求項１又は２に記載の定着装置を備える
画像形成装置。
【発明の詳細な説明】
【技術分野】
【０００１】
本発明は、加熱ローラ等の加熱回転体への通電を遮断する通電遮断部を備える定着装置及びこの定着装置を備える画像形成装置に関する。
【背景技術】
【０００２】
プリンタ等の画像形成装置は、一般的に、感光体ドラム（像担持体）に形成されたトナー画像を用紙（被転写材）に転写させる転写部と、用紙に転写されたトナー画像を用紙に定着させる定着装置とを備える。定着装置は、一般的に、ヒータにより加熱される加熱ローラと、加熱ローラに圧接される加圧ローラとを備える。定着装置は、転写部から搬送されてきた用紙を加熱ローラと加圧ローラとの間に挟み込んでトナー画像を溶融及び加圧することにより、トナー画像を用紙に定着させる。
【０００３】
加熱ローラの内部には、ヒータが設けられる。加熱ローラを加熱するヒータは、一般的に、加熱ローラの所定幅における中央部を加熱するセンターヒータと、加熱ローラの所定幅における端部を加熱するサイドヒータとから構成される。センターヒータ及びサイドヒータには、それぞれに対応して第１通電遮断部（第１サーモスタット）及び第２通電遮断部（第２サーモスタット）が配置される。第１サーモスタットは、センターヒータの温度が所定温度に到達した場合に、センターヒータへの通電を遮断して、センターヒータ（加熱ローラ）が過剰に昇温（過昇温）されるのを防止する。同様に、第２サーモスタットは、サイドヒータの温度が所定温度に到達した場合に、サイドヒータへの通電を遮断して、サイドヒータ（加熱ローラ）が過昇温されるのを防止する（例えば、特許文献１を参照）。
【先行技術文献】
【特許文献】
【０００４】
【特許文献１】特開２００５−２２７７６９号公報
【発明の概要】
【発明が解決しようとする課題】
【０００５】
上述した定着装置では、センターヒータ及びサイドヒータのそれぞれに対応して第１サーモスタット及び第２サーモスタットが配置される（１つのヒータに対応して１つのサーモスタットが配置される）。
このため、第１サーモスタットが故障し、センターヒータの温度が過度に上昇した場合でも、第２サーモスタットは、センターヒータへの通電を遮断することができない。同様に、第２サーモスタットが故障し、サイドヒータの温度が過度に上昇した場合でも、第１サーモスタットは、サイドヒータへの通電を遮断することができない。センターヒータ又はサイドヒータへの通電を遮断することができない場合、センターヒータ又はサイドヒータの温度は、さらに上昇する。したがって、上述した定着装置は、第１サーモスタット及び第２サーモスタットのうちの一方が故障したときのことを考慮して、安全性が確保されたものではない。
一方、安全性を確保するために、１つのヒータに対して２つのサーモスタットを配置する等した場合には、サーモスタットを多量に配置するために、定着装置のコストが上昇してしまう。
【０００６】
本発明は、通電遮断部を適切な位置に配置することにより、製品のコスト上昇を抑えつつ、安全性を確保する定着装置及び画像形成装置を提供することを目的とする。
【課題を解決するための手段】
【０００７】
本発明は、所定の幅を有する加熱回転体であって、通電されることにより前記加熱回転体における幅方向の中央部を昇温させる第１昇温部と、通電されることにより前記加熱回転体における幅方向の端部を昇温させる第２昇温部とを有する加熱回転体と、前記中央部に対応して配置され、前記中央部の温度が所定の第１温度に到達した場合に前記第１昇温部への通電を遮断する第１通電遮断部と、前記端部に対応して配置され、前記端部の温度が所定の第２温度に到達した場合に前記第２昇温部への通電を遮断する第２通電遮断部と、前記中央部と前記端部との境界部に対応して配置され、前記境界部の温度が所定の第３温度に到達した場合に前記第１昇温部及び前記第２昇温部への通電を遮断する第３通電遮断部と、を備える定着装置に関する。
【０００８】
また、前記第３通電遮断部は、前記第１昇温部のみに通電したときに生ずる発熱と、前記第２昇温部のみに通電したときに生ずる発熱とを同様に受ける箇所であって、前記第１昇温部のみに通電することにより前記加熱回転体の前記中央部を設定温度まで昇温させた場合における前記境界部の温度と、前記第２昇温部のみに通電することにより前記加熱回転体の前記端部を前記設定温度まで昇温させた場合における前記境界部の温度との差が、前記設定温度の１０％の温度以内となる箇所に配置されることが好ましい。
【０００９】
また、本発明は、表面に静電潜像が形成される像担持体と、前記像担持体に形成された前記静電潜像にトナー画像を形成する現像器と、前記像担持体に形成された前記トナー画像を直接的又は間接的に被転写材に転写する転写部と、を備えると共に、前記転写部により前記被転写材に転写されたトナー画像を前記被転写材に定着させる上述した定着装置を備える画像形成装置に関する。
【発明の効果】
【００１０】
本発明によれば、通電遮断部を適切な位置に配置したことにより、製品のコスト上昇を抑えつつ、安全性を確保することができる。
【図面の簡単な説明】
【００１１】
【図１】プリンタ１の各構成要素の配置を説明するための左側面側の図である。
【図２】本発明の一実施形態に係る定着装置９を説明するための模式図である。
【図３】本発明の一実施形態に係る定着装置９を説明するための断面図である。
【図４】図４（Ａ）は、第１昇温部９ｃのみに通電した場合における加熱回転体９ａの温度分布を説明するための図である。図４（Ｂ）は、第２昇温部９ｄのみに通電した場合における加熱回転体９ａの温度分布を説明するための図である。図４（Ｃ）は、第１昇温部９ｃのみに通電した場合（実線）及び第２昇温部９ｄのみに通電した場合（破線）における、加熱回転体９ａの位置と温度との関係を示す図である。
【図５】変形例に係る定着装置９を説明するための模式図である。
【発明を実施するための形態】
【００１２】
以下、図面を参照して本発明の実施形態を説明する。
図１により、本実施形態における画像形成装置としてのプリンタ１における全体構造を説明する。図１は、プリンタ１の各構成要素の配置を説明するための左側面側の図である。
【００１３】
図１に示すように、画像形成装置としてのプリンタ１は、装置本体Ｍと、所定の画像情報に基づいてシート状の被転写材としての用紙Ｔに所定のトナー画像を形成する画像形成部ＧＫと、用紙Ｔを画像形成部ＧＫに給紙すると共にトナー画像が形成された用紙Ｔを排紙する給排紙部ＫＨとを有する。
装置本体Ｍにおける外形は、筐体としてのケース体ＢＤにより構成される。
【００１４】
図１に示すように、画像形成部ＧＫは、像担持体（感光体）としての感光体ドラム２と、帯電部１０と、露光ユニットとしてのレーザスキャナユニット４と、現像器１６と、トナーカートリッジ５と、トナー供給部６と、ドラムクリーニング部１１と、除電器１２と、転写ローラ８と、定着装置９とを備える。
【００１５】
図１に示すように、給排紙部ＫＨは、給紙カセット５２と、手差し給紙部６４と、用紙Ｔの搬送路Ｌと、レジストローラ対８０と、排紙部５０とを備える。
【００１６】
以下、画像形成部ＧＫ及び給排紙部ＫＨの各構成について詳細に説明する。
まず、画像形成部ＧＫについて説明する。
画像形成部ＧＫにおいては、感光体ドラム２の表面に沿って順に、上流側から下流側に順に、帯電部１０による帯電、レーザスキャナユニット４による露光、現像器１６による現像、転写ローラ８による転写、除電器１２による除電、及びドラムクリーニング部１１によるクリーニングが行われる。
【００１７】
感光体ドラム２は、円筒形状の部材からなり、感光体又は像担持体として機能する。感光体ドラム２は、搬送路Ｌにおける用紙Ｔの搬送方向に対して直交する方向に延びる機軸を中心に、矢印の方向に回転可能に配置される。感光体ドラム２の表面には、静電潜像が形成され得る。
【００１８】
帯電部１０は、感光体ドラム２の表面に対向して配置される。帯電部１０は、感光体ドラム２の表面を一様に負（マイナス極性）又は正（プラス極性）に帯電させる。
【００１９】
レーザスキャナユニット４は、露光ユニットとして機能するものであり、感光体ドラム２の表面から離間して配置される。レーザスキャナユニット４は、不図示のレーザ光源、ポリゴンミラー、ポリゴンミラー駆動用モータ等を有して構成される。
【００２０】
レーザスキャナユニット４は、ＰＣ（パーソナルコンピュータ）等の外部機器から入力された画像情報に基づいて、感光体ドラム２の表面を走査露光する。レーザスキャナユニット４により走査露光されることで、感光体ドラム２の表面の露光された部分の電荷が除去される。これにより、感光体ドラム２の表面に静電潜像が形成される。
【００２１】
現像器１６は、感光体ドラム２に対応して設けられ、感光体ドラム２の表面に対向して配置される。現像器１６は、感光体ドラム２に形成された静電潜像に単色（通常はブラック）のトナーを付着させて、単色のトナー画像を感光体ドラム２の表面に形成する。現像器１６は、感光体ドラム２の表面に対向配置された現像ローラ１７、トナー攪拌用の攪拌ローラ１８等を有して構成される。
【００２２】
トナーカートリッジ５は、現像器１６に対応して設けられており、現像器１６に対して供給されるトナーを収容する。
【００２３】
トナー供給部６は、トナーカートリッジ５及び現像器１６に対応して設けられており、トナーカートリッジ５に収容されたトナーを現像器１６に対して供給する。トナー供給部６と現像器１６とは、不図示のトナー供給路により結ばれている。
【００２４】
転写ローラ８は、感光体ドラム２の表面に現像されたトナー画像を用紙Ｔに転写させる。転写ローラ８には、不図示の転写バイアス印加部により、感光体ドラム２に形成されたトナー画像を用紙Ｔに転写させるための転写バイアスが印加される。
【００２５】
転写ローラ８は、感光体ドラム２に対して当接したり離間したりする。具体的には、転写ローラ８は、感光体ドラム２に当接される当接位置と、感光体ドラム２から離間する離間位置とに移動可能に構成される。詳細には、転写ローラ８は、感光体ドラム２に現像されたトナー画像を用紙Ｔに転写させる場合には当接位置に配置され、他の場合には離間位置に配置される。
【００２６】
感光体ドラム２と転写ローラ８との間で、搬送路Ｌを搬送される用紙Ｔが挟み込まれる。挟み込まれた用紙Ｔは、感光体ドラム２の表面に押し当てられる。感光体ドラム２と転写ローラ８との間で、転写ニップＮが形成される。転写ニップＮにおいて、感光体ドラム２に現像されたトナー画像が用紙Ｔに転写される。
【００２７】
除電器１２は、感光体ドラム２の表面に対向して配置される。除電器１２は、感光体ドラム２の表面に光を照射することにより、転写が行われた後の感光体ドラム２の表面を除電する（電荷を除去する）。
【００２８】
ドラムクリーニング部１１は、感光体ドラム２の表面に対向して配置される。ドラムクリーニング部１１は、感光体ドラム２の表面に残存したトナーや付着物を除去すると共に、除去されたトナー等を所定の回収機構へ搬送して、回収させる。
【００２９】
定着装置９は、用紙Ｔに転写されたトナー画像を構成するトナーを溶融及び加圧して、用紙Ｔに定着させる。定着装置９は、ヒータにより加熱される加熱回転体９ａと、加熱回転体９ａに圧接される加圧回転体９ｂと、を備える。加熱回転体９ａと加圧回転体９ｂとは、トナー画像が転写された用紙Ｔを挟み込んで加圧すると共に、搬送する。加熱回転体９ａと加圧回転体９ｂとの間に挟み込まれた状態で用紙Ｔが搬送されることで、用紙Ｔに転写されたトナーは、溶融及び加圧され、用紙Ｔに定着される。なお、定着装置９については、後で詳述する。
【００３０】
次に、給排紙部ＫＨについて説明する。
図１に示すように、装置本体Ｍの下部には、用紙Ｔを収容する１個の給紙カセット５２が配置される。給紙カセット５２は、装置本体Ｍの前側（図１における右側）から水平方向に引き出し可能に構成される。給紙カセット５２には、用紙Ｔが載置される載置板６０が配置される。給紙カセット５２には、用紙Ｔが載置板６０の上に積層された状態で収容される。載置板６０に載置された用紙Ｔは、給紙カセット５２における用紙送り出し側の端部（図１において右側の端部）に配置されるカセット給紙部５１により搬送路Ｌに送り出される。カセット給紙部５１は、載置板６０上の用紙Ｔを取り出すための前送りコロ６１と、用紙Ｔを１枚ずつ搬送路Ｌに送り出すための給紙ローラ対６３とからなる重送防止機構を備える。
【００３１】
装置本体Ｍの前面（図１において右側）には、手差し給紙部６４が設けられる。手差し給紙部６４は、給紙カセット５２にセットされる用紙Ｔとは異なる大きさや種類の用紙Ｔを装置本体Ｍに供給することを主目的として設けられる。手差し給紙部６４は、閉状態において装置本体Ｍの前面の一部を構成する手差しトレイ６５と、給紙コロ６６とを備える。手差しトレイ６５は、その下端が給紙コロ６６の近傍に回動自在（開閉自在）に取り付けられる。開状態の手差しトレイ６５には、用紙Ｔが載置される。給紙コロ６６は、開状態の手差しトレイ６５に載置された用紙Ｔを手差し搬送路Ｌａに給紙する。
【００３２】
装置本体Ｍにおける上方側には、排紙部５０が設けられる。排紙部５０は、第３ローラ対５３により用紙Ｔを装置本体Ｍの外部に排紙する。排紙部５０の詳細については後述する。
【００３３】
用紙Ｔを搬送する搬送路Ｌは、カセット給紙部５１から転写ニップＮまでの第１搬送路Ｌ１と、転写ニップＮから定着装置９までの第２搬送路Ｌ２と、定着装置９から排紙部５０までの第３搬送路Ｌ３と、手差し給紙部６４から供給される用紙を第１搬送路Ｌ１に合流させる手差し搬送路Ｌａと、第３搬送路Ｌ３を下流側から上流側へ搬送する用紙を、表裏反転させて第１搬送路Ｌ１に戻す戻り搬送路Ｌｂとを備える。
【００３４】
また、第１搬送路Ｌ１の途中には、第１合流部Ｐ１及び第２合流部Ｐ２が設けられている。第３搬送路Ｌ３の途中には、第１分岐部Ｑ１が設けられている。
第１合流部Ｐ１は、手差し搬送路Ｌａが第１搬送路Ｌ１に合流する合流部である。第２合流部Ｐ２は、戻り搬送路Ｌｂが第１搬送路Ｌ１に合流する合流部である。
第１分岐部Ｑ１は、戻り搬送路Ｌｂが第３搬送路Ｌ３から分岐する分岐部で、第１ローラ対５４ａ及び第２ローラ対５４ｂを有する。第１ローラ対５４ａの一方のローラと第２ローラ対５４ｂの一方のローラとは兼用される。
【００３５】
第１搬送路Ｌ１の途中（詳細には、第２合流部Ｐ２と転写ローラ８との間）には、用紙Ｔを検出するためのセンサと、用紙Ｔのスキュー（斜め給紙）補正や画像形成部ＧＫにおけるトナー画像の形成とタイミングを合わせるためのレジストローラ対８０とが配置される。センサは、用紙Ｔの搬送方向におけるレジストローラ対８０の直前（搬送方向における上流側）に配置される。レジストローラ対８０は、センサからの検出信号情報に基づいて上述の補正やタイミング調整をして用紙Ｔを搬送する。
【００３６】
戻し搬送路Ｌｂは、用紙Ｔに両面印刷を行う際に、既に印刷されている面とは反対面（非印刷面）を感光体ドラム２に対向させるために設けられる搬送路である。
戻し搬送路Ｌｂによれば、第１分岐部Ｑ１から第１ローラ対５４ａにより排紙部５０側に搬送された用紙Ｔを表裏反転させて第２ローラ対５４ｂにより第１搬送路Ｌ１に戻して、転写ローラ８の上流側に配置されたレジストローラ対８０の上流側に搬送させることができる。戻し搬送路Ｌｂにより表裏反転された用紙Ｔには、転写ニップＮにおいて非印刷面に対して所定のトナー画像が転写される。
【００３７】
第３搬送路Ｌ３における端部には、排紙部５０が形成される。排紙部５０は、装置本体Ｍにおける上方側に配置される。排紙部５０は、装置本体Ｍの前面側（図１において右側、手差し給紙部６４側）に向けて開口している。排紙部５０は、第３搬送路Ｌ３を搬送される用紙Ｔを第３ローラ対５３により装置本体Ｍの外部に排紙する。
【００３８】
排紙部５０における開口側には、排紙集積部Ｍ１が形成される。排紙集積部Ｍ１は、装置本体Ｍにおける上面（外面）に形成される。排紙集積部Ｍ１は、装置本体Ｍにおける上面が下方に窪んで形成された部分である。排紙集積部Ｍ１の底面は、装置本体Ｍにおける上面の一部を構成する。排紙集積部Ｍ１には、所定のトナー画像が形成され排紙部５０から排紙された用紙Ｔが積層して集積される。
なお、各搬送路の所定位置には用紙検出用のセンサが配置される。
【００３９】
以下、図面を参照して、本実施形態のプリンタ１における特徴部分に係る構成について説明する。図２は、本発明の一実施形態に係る定着装置９を説明するための模式図である。図３は、本発明の一実施形態に係る定着装置９を説明するための断面図である。
【００４０】
図２に示すように、本実施形態の定着装置９は、加熱ローラ等からなる加熱回転体９ａと、第１通電遮断部９ｅと、第２通電遮断部９ｆと、第３通電遮断部９ｇとを備える。
加熱回転体９ａは、所定の幅を有する。さらに、加熱回転体９ａは、通電されることにより加熱回転体９ａにおける幅方向の中央部９ｑを昇温させる第１昇温部９ｃと、通電されることにより加熱回転体９ａにおける幅方向の端部９ｍ、９ｎを昇温させる第２昇温部９ｄとを有する。
【００４１】
第１昇温部９ｃは、加熱回転体９ａにおける所定の幅の中央部９ｑを昇温させるセンターヒータである。第１昇温部９ｃは、第１経路９ｈ及び第２経路９ｉを介して通電部９ｋに接続される。第１昇温部９ｃは、通電部９ｋから通電されることにより昇温する。
第２昇温部９ｄは、加熱回転体９ａにおける中央部９ｑに隣接する一方の端部９ｍを昇温させる第１サブヒータと、加熱回転体９ａにおける中央部９ｑに隣接する他方の端部９ｎを昇温させる第２サブヒータとから構成される。第２昇温部９ｄは、第２経路９ｉ及び第３経路９ｊを介して通電部９ｋに接続される。なお、第１サブヒータと第２サブヒータとは、第３経路９ｊにより直列に接続される。第２昇温部９ｄ（第１サブヒータ及び第２サブヒータ）は、通電部９ｋから通電されることにより昇温する。
【００４２】
図３に示すように、第１昇温部９ｃ及び第２昇温部９ｄは、加熱回転体９ａの内側に配置される。加熱回転体９ａには、加圧回転体９ｂが圧接される。また、加熱回転体９ａは、筐体９ｐにより囲繞される。筐体９ｐには、第１通電遮断部９ｅと、第２通電遮断部９ｆ（図３には図示せず）と、第３通電遮断部９ｇ（図３には図示せず）とが配置される。第１通電遮断部９ｅと、第２通電遮断部９ｆと、第３通電遮断部９ｇとは、それぞれサーモスタットから構成される。
【００４３】
第１通電遮断部９ｅは、中央部９ｑに対応して配置される。すなわち、第１通電遮断部９ｅは、筐体９ｐにおいて、加熱回転体９ａの中央部９ｑに対向する位置に配置される。さらに、第１通電遮断部９ｅは、中央部９ｑの温度が所定の第１温度に到達した場合に第１昇温部９ｃへの通電を遮断する。すなわち、第１通電遮断部９ｅは、加熱回転体９ａの中央部９ｑの温度が所定の第１温度に到達した場合、第１経路９ｈの電気的な接続を開放して、第１昇温部９ｃへの通電を遮断する。
【００４４】
第２通電遮断部９ｆは、端部９ｍ、９ｎに対応して配置される。すなわち、第２通電遮断部９ｆは、筐体９ｐにおいて、加熱回転体９ａの一方の端部９ｍ及び他方の端部９ｎのどちらか一方に対向する位置に配置される。本実施形態においては、第２通電遮断部９ｆは、一方の端部９ｍに対応する位置に配置される。さらに、第２通電遮断部９ｆは、端部９ｍの温度が所定の第２温度に到達した場合に第２昇温部９ｄへの通電を遮断する。すなわち、第２通電遮断部９ｆは、加熱回転体９ａにおける端部９ｍの温度が所定の第２温度に到達した場合に、第３経路９ｊの電気的な接続を開放して、第２昇温部９ｄへの通電を遮断する。
【００４５】
第３通電遮断部９ｇは、中央部９ｑと端部との境界部に対応して配置される。すなわち、第３通電遮断部９ｇは、筐体９ｐにおいて、加熱回転体９ａの中央部９ｑと一方の端部９ｍとの境界部に対向する位置、又は加熱回転体９ａの中央部９ｑと他方の端部９ｎとの境界部に対向する位置に配置される。本実施形態においては、第３通電遮断部９ｇは、加熱回転体９ａの中央部９ｑと他方の端部９ｎとの境界部に対応する位置に配置される。
【００４６】
さらに、第３通電遮断部９ｇは、境界部の温度が所定の第３温度に到達した場合に第１昇温部９ｃ及び第２昇温部９ｄへの通電を遮断する。すなわち、第３通電遮断部９ｇは、加熱回転体９ａにおける中央部９ｑと端部９ｎとの境界部の温度が所定の第３温度に到達した場合、第１経路９ｈと第２経路９ｉとの電気的な接続を開放すると共に、第３経路９ｊと第２経路９ｉとの電気的な接続を開放して、第１昇温部９ｃ及び第２昇温部９ｄへの通電を遮断する。
【００４７】
次に、第１通電遮断部９ｅ、第２通電遮断部９ｆ及び第３通電遮断部９ｇが配置される位置について詳細に説明する。図４は、加熱回転体９ａの温度を説明するための図である。ここで、図４（Ａ）は、第１昇温部９ｃのみに通電した場合における加熱回転体９ａの温度分布を説明するための図である。図４（Ｂ）は、第２昇温部９ｄのみに通電した場合における加熱回転体９ａの温度分布を説明するための図である。図４（Ｃ）は、第１昇温部９ｃのみに通電した場合（実線）及び第２昇温部９ｄのみに通電した場合（破線）における、加熱回転体９ａの位置と温度との関係を示す図である。
【００４８】
まず、通電部９ｋにより第１昇温部９ｃのみに通電された場合、図４（Ａ）及び図４（Ｃ）からわかるように、加熱回転体９ａにおける中央部９ｑが加熱される。一方、通電部９ｋにより第２昇温部９ｄのみに通電された場合、図４（Ｂ）及び図４（Ｃ）からわかるように、加熱回転体９ａにおける各端部９ｍ、９ｎが加熱される。ここで、第１昇温部９ｃと第２昇温部９ｄとの配熱の境目（第１昇温部９ｃのみに通電された場合の温度と、第２昇温部９ｄのみに通電された場合の温度とが同じになる位置）を位置ｚとして表す。
【００４９】
第１通電遮断部９ｅは、第１昇温部９ｃによって加熱される加熱回転体９ａの中央部９ｑ（加熱回転体９ａの温度が最高温度程度になる部分）に対応する位置に配置される。例えば、第１通電遮断部９ｅは、加熱回転体９ａの中央（図４（Ｃ）において０［ｍｍ］の位置）から一方の端部９ｍ（図４に示す場合では右側）に向かって約４０［ｍｍ］ずれた位置ａに配置される。
【００５０】
第２通電遮断部９ｆは、第２昇温部９ｄよって加熱される加熱回転体９ａの端部９ｍ、９ｎ（加熱回転体９ａの温度が最高温度程度になる部分）に対応する位置に配置される。例えば、第２通電遮断部９ｆは、加熱回転体９ａの中央（図４（Ｃ）において０［ｍｍ］の位置）から一方の端部９ｍ（図４に示す場合では右側）に向かって約１２０［ｍｍ］ずれた位置ｂに配置される。
【００５１】
第３通電遮断部９ｇは、第１昇温部９ｃのみに通電したときに生ずる発熱と、第２昇温部９ｄのみに通電したときに生ずる発熱とを同様に受ける箇所（図４に示す場合では位置ｚ付近）に配置される。第３通電遮断部９ｇは、第１昇温部９ｃのみに通電することにより加熱回転体９ａの中央部９ｑを設定温度まで昇温させた場合における境界部の温度と、第２昇温部９ｄのみに通電することにより加熱回転体９ａの端部９ｍ、９ｎを設定温度まで昇温させた場合における境界部の温度との差（温度差）が、設定温度の１０％の温度以内となる箇所に配置される。「設定温度」とは、第１昇温部９ｃ及び第２昇温部９ｄに対してそれぞれ独立に通電することにより加熱回転体９ａが加熱されるときの加熱回転体９ａの目標温度（単位は［℃］）である。また、「設定温度の１０％の温度」とは、設定温度を１／１０倍した温度のことである。したがって、「温度差が設定温度の１０％以内」とは、その温度差が０［℃］の場合を基準にして（基準温度）、その基準温度よりも設定温度の５％となる温度（設定温度の１０％となる温度をさらに１／２倍した温度）だけ高い温度ＴＨと、その基準温度よりも設定温度の５％となる温度だけ低い温度ＴＬとの間の温度範囲（ＴＬ〜ＴＨ）のことである。
【００５２】
例えば、図４に示すように、第１昇温部９ｃ及び第２昇温部９ｄに対してそれぞれ独立に通電することにより、第１昇温部９ｃ又は第２昇温部９ｄによって加熱される加熱回転体９ａの設定温度は、２２０［℃］である。このとき、設定温度の１０％の温度は、２２［℃］となる。さらに、設定温度の１０％となる温度をさらに１／２倍した温度は、１１［℃］となる。したがって、第３通電遮断部９ｇは、第１昇温部９ｃのみに通電する場合における加熱回転体９ａの境界部の温度と、第２昇温部９ｄのみに通電する場合における加熱回転体９ａの境界部の温度との差が２２［℃］以内（基準温度（１６５［℃］）よりも１１［℃］高い温度ＴＨと、基準温度よりも１１［℃］低い温度ＴＬとの間の温度範囲）になる位置に配置される。図４（Ｃ）に示す場合、第３通電遮断部９ｇは、加熱回転体９ａにおいて約−９２［ｍｍ］〜約−１０２［ｍｍ］となる位置又は約９２［ｍｍ］〜約１０２［ｍｍ］となる位置に配置される。
【００５３】
また、第３通電遮断部９ｇは、第２通電遮断部９ｆが配置される加熱回転体９ａの一方の端部９ｍとは反対側（他方の端部９ｎ側）において、第１昇温部９ｃのみに通電する場合における加熱回転体９ａの境界部の温度と、第２昇温部９ｄのみに通電する場合における加熱回転体９ａの境界部の温度との差が０［℃］となる位置ｃ（位置ｚ）に配置される。
【００５４】
次に、図１を参照して、第１実施形態のプリンタ１の動作について、簡単に説明する。
まず、給紙カセット５２に収容された用紙Ｔに片面印刷を行う場合について説明する。
給紙カセット５２に収容された用紙Ｔは、前送りコロ６１及び給紙ローラ対６３によって第１搬送路Ｌ１に送り出され、その後、第１合流部Ｐ１及び第１搬送路Ｌ１を介してレジストローラ対８０に搬送される。
レジストローラ対８０においては、用紙Ｔのスキュー補正や、トナー画像とのタイミング調整が行われる。
【００５５】
レジストローラ対８０から排出された用紙Ｔは、第１搬送路Ｌ１を介して感光体ドラム２と転写ローラ８との間（転写ニップＮ）に導入される。そして、用紙Ｔには、感光体ドラム２と転写ローラ８との間において、トナー画像が転写される。
その後、用紙Ｔは、感光体ドラム２と転写ローラ８との間から排出され、第２搬送路Ｌ２を介して、定着装置９における加熱回転体９ａと加圧回転体９ｂとの間の定着ニップに導入される。そして、定着ニップにおいてトナーＴＮが溶融し、トナーＴＮが用紙Ｔに定着される。
【００５６】
次いで、用紙Ｔは、第１ローラ対５４ａにより第３搬送路Ｌ３を通して排紙部５０に搬送され、第３ローラ対５３により排紙部５０から排紙集積部Ｍ１に排出される。
このようにして、給紙カセット５２に収容された用紙Ｔの片面印刷が完了する。
【００５７】
手差しトレイ６５に載置された用紙Ｔに片面印刷を行う場合には、手差しトレイ６５に載置された用紙Ｔは、給紙コロ６６によって手差し搬送路Ｌａに送り出され、その後、第１合流部Ｐ１及び第１搬送路Ｌ１を介して、レジストローラ対８０に搬送される。それ以降の動作は、前述した、給紙カセット５２に収容された用紙Ｔの片面印刷の動作と同様であり、説明を省略する。
【００５８】
次に、両面印刷を行う場合のプリンタ１の動作について説明する。
片面印刷の場合には、前述した通り、片面印刷がされた用紙Ｔが、排紙部５０から排紙集積部Ｍ１に排出されて印刷動作が完了する。
これに対し、両面印刷を行う場合には、片面印刷がされた用紙Ｔが、戻し搬送路Ｌｂを介して、片面印刷時とは表裏反転して、レジストローラ対８０に再度搬送されることにより、用紙Ｔに両面印刷が施される。
【００５９】
詳述すると、片面印刷がされた用紙Ｔが第３ローラ対５３により排紙部５０から排出されるまでは、前述した片面印刷の動作と同様である。而して、両面印刷の場合には、片面印刷がされた用紙Ｔが第３ローラ対５３により保持されている状態において、第３ローラ対５３の回転を停止させ、逆方向に回転させる。このように第３ローラ対５３を逆方向に回転させると、第３ローラ対５３に保持されている用紙Ｔは、第３搬送路Ｌ３を逆方向（排紙部５０から第１分岐部Ｑ１に向かう方向）に搬送される。
【００６０】
前述したように、用紙Ｔが、第３搬送路Ｌ３を逆方向に搬送されると、（第１ローラ対５４ａではなく、）第２ローラ対５４ｂに導入される。そして、用紙Ｔは、戻し搬送路Ｌｂ及び第２合流部Ｐ２を介して、第１搬送路Ｌ１に合流する。ここで、用紙Ｔは、片面印刷時とは表裏反転している。
【００６１】
更に、用紙Ｔは、レジストローラ対８０により前記補正又は前記調整が行われ、第１搬送路Ｌ１を介して、感光体ドラム２と転写ローラ８との間に導入される。用紙Ｔは、戻し搬送路Ｌｂを経由することにより、非印刷面が感光体ドラム２に対向するので、非印刷面にトナー画像が転写され、その結果、両面印刷が施される。
【００６２】
次に、図２を参照して、本実施形態のプリンタ１の特徴部分である定着装置９の動作について説明する。
まず、通電部９ｋは、第１経路９ｈ及び第２経路９ｉを介して第１昇温部９ｃに電力を供給する。また、通電部９ｋは、第３経路９ｊ及び第２経路９ｉを介して第２昇温部９ｄに電力を供給する。第１昇温部９ｃ及び第２昇温部９ｄは、それぞれ昇温して、それぞれ加熱回転体９ａの中央部９ｑ及び端部９ｍ、９ｎを昇温させる。
【００６３】
加熱回転体９ａの中央部９ｑの温度が所定の第１温度に到達した場合、第１通電遮断部９ｅは、第１経路９ｈの電気的な接続を開放して、第１昇温部９ｃへの通電を遮断する。第１昇温部９ｃは、通電が遮断されることにより昇温しなくなり、温度が低下する。これにより、加熱回転体９ａの中央部９ｑの温度は、低下する。
【００６４】
また、加熱回転体９ａの端部９ｍの温度が所定の第２温度に到達した場合、第２通電遮断部９ｆは、第３経路９ｊの電気的な接続を開放して、第２昇温部９ｄへの通電を遮断する。第２昇温部９ｄは、通電が遮断されることにより昇温しなくなり、温度が低下する。これにより、加熱回転体９ａの端部９ｍの温度は、低下する。
【００６５】
なお、加熱回転体９ａの一方の端部９ｍを加熱する第２昇温部９ｄ（第１サブヒータ）と、加熱回転体の他方の端部９ｎを加熱する第２昇温部９ｄ（第２サブヒータ）とは、第３経路により直列接続される。このため、第２サブヒータの温度が上昇し過ぎた場合には、第１サブヒータの温度も上昇しすぎることになる。すなわち、加熱回転体９ａの他方の端部９ｎの温度が所定の第２温度に到達した場合には、一方の端部９ｍの温度も所定の第２温度に到達することになる。したがって、図２に示す場合において、加熱回転体９ａの他方の端部９ｎの温度が所定の第２温度に到達した場合でも、第２通電遮断部９ｆは、第２昇温部９ｄ（第１サブヒータ及び第２サブヒータ）への通電を遮断することができる。
【００６６】
ところで、第１通電遮断部９ｅが故障した場合、加熱回転体９ａの中央部９ｑは、第１通電遮断部９ｅにより温度の監視が行われない。この場合に、第１昇温部９ｃが過昇温となった場合、加熱回転体９ａの中央部９ｑと共に、隣接する境界部の温度が上昇する。
同様に、第２通電遮断部９ｆが故障した場合、加熱回転体９ａの端部９ｍ、９ｎは、第２通電遮断部９ｆにより温度の監視が行われない。この場合に、第２昇温部９ｄが過昇温となった場合、加熱回転体９ａの端部９ｍ、９ｎと共に、隣接する境界部の温度が上昇する。
第３通電遮断部９ｇは、加熱回転体９ａの境界部の温度を監視することにより、間接的に加熱回転体９ａにおける中央部９ｑ及び端部９ｍ、９ｎのそれぞれの温度を監視することになる。
【００６７】
ここで、表１は、第１通電遮断部９ｅ、第２通電遮断部９ｆ及び第３通電遮断部９ｇのうちのいずれかが故障した場合に、故障した通電遮断部の代わりに動作する通電遮断部について説明するための表である。
【表１】
2011112979.tif 000003
【００６８】
表１に示すように、第１通電遮断部９ｅが故障し、さらに第１昇温部９ｃの過昇温に伴って加熱回転体９ａの境界部の温度が所定の第３温度に到達した場合、第３通電遮断部９ｇは、第１経路９ｈと第２経路９ｉとの電気的な接続を開放して第１昇温部９ｃへの通電を遮断すると共に、第３経路９ｊと第２経路９ｉとの電気的な接続を開放して第２昇温部９ｄへの通電を遮断する。これにより、加熱回転体９ａは、第１昇温部９ｃ及び第２昇温部９ｄにより加熱されなくなるので、境界部（中央部９ｑ）が所定の第３温度（所定の第１温度）未満になる。
【００６９】
また、第１通電遮断部９ｅが故障し、さらに第２昇温部９ｄが過昇温となった場合、第２通電遮断部９ｆは、第２昇温部９ｄへの通電を遮断する。これにより、加熱回転体９ａは、第２昇温部９ｄにより加熱されなくなるので、端部９ｍ、９ｎの温度が所定の第２温度未満になる。
【００７０】
また、第１通電遮断部９ｅが故障し、さらに第１昇温部９ｃ及び第２昇温部９ｄの過昇温により加熱回転体９ａの境界部の温度が所定の第３温度に到達した場合、第３通電遮断部９ｇは、第１昇温部９ｃ及び第２昇温部９ｄへの通電を遮断する。また、第２通電遮断部９ｆは、第２昇温部９ｄへの通電を遮断する。これにより、加熱回転体９ａは、第１昇温部９ｃ及び第２昇温部９ｄにより加熱されなくなるので、境界部（中央部９ｑ及び端部９ｍ、９ｎ）の温度が所定の第３温度（所定の第１温度及び所定の第２温度）未満になる。
【００７１】
また、第２通電遮断部９ｆが故障し、さらに第１昇温部９ｃの過昇温により加熱回転体９ａの中央部９ｑの温度が所定の第１温度に到達した場合、第１通電遮断部９ｅは、第１昇温部９ｃへの通電を遮断する。これにより、加熱回転体９ａは、第１昇温部９ｃにより加熱されなくなるので、中央部９ｑの温度が所定の第１温度未満になる。
【００７２】
また、第２通電遮断部９ｆが故障し、さらに第２昇温部９ｄの過昇温に伴って加熱回転体９ａの境界部の温度が所定の第３温度に到達した場合、第３通電遮断部９ｇは、第１昇温部９ｃ及び第２昇温部９ｄへの通電を遮断する。これにより、加熱回転体９ａは、第１昇温部９ｃ及び第２昇温部９ｄにより加熱されなくなるので、境界部（端部９ｍ、９ｎの温度）が所定の第３温度（所定の第２温度）未満になる。
【００７３】
また、第２通電遮断部９ｆが故障し、さらに第１昇温部９ｃ及び第２昇温部９ｄの過昇温に伴って加熱回転体９ａの境界部の温度が所定の第３温度に到達した場合、第３通電遮断部９ｇは、第１昇温部９ｃ及び第２昇温部９ｄへの通電を遮断する。また、第２通電遮断部９ｆは、加熱回転体９ａの端部９ｍ、９ｎの温度が所定の第２温度に到達した場合、第２昇温部９ｄへの通電を遮断する。これにより、加熱回転体９ａは、第１昇温部９ｃ及び第２昇温部９ｄにより加熱されなくなるので、境界部及び端部９ｍ、９ｎの温度がそれぞれ所定の第３温度及び所定の第２温度未満になる。
【００７４】
また、第３通電遮断部９ｇが故障し、さらに第１昇温部９ｃの過昇温により加熱回転体９ａの中央部９ｑの温度が所定の第１温度に到達した場合、第１通電遮断部９ｅは、第１昇温部９ｃへの通電を遮断する。これにより、加熱回転体９ａは、第１昇温部９ｃにより加熱されなくなるので、中央部９ｑの温度が所定の第１温度未満になる。
【００７５】
また、第３通電遮断部９ｇが故障し、さらに第２昇温部９ｄの過昇温により加熱回転体９ａの端部９ｍ、９ｎの温度が所定の第２温度に到達した場合、第２通電遮断部９ｆは、第２昇温部９ｄへの通電を遮断する。これにより、加熱回転体９ａは、第２昇温部９ｄにより加熱されなくなるので、端部９ｍ、９ｎの温度が所定の第２温度未満になる。
【００７６】
また、第３通電遮断部９ｇが故障し、さらに第１昇温部９ｃ及び第２昇温部９ｄの過昇温により加熱回転体９ａの中央部９ｑ及び端部９ｍ、９ｎの温度がそれぞれ所定の第１温度及び所定の第２温度に到達した場合、第１通電遮断部９ｅ及び第２通電遮断部９ｆは、それぞれ第１昇温部９ｃ及び第２昇温部９ｄへの通電を遮断する。これにより、加熱回転体９ａは、第１昇温部９ｃ及び第２昇温部９ｄにより加熱されなくなるので、中央部９ｑ及び端部９ｍ、９ｎの温度がそれぞれ所定の第１温度及び所定の第２温度未満になる。
【００７７】
次に、所定の第１温度、所定の第２温度及び所定の第３温度について具体的に説明する。
まず、加熱回転体９ａ、加圧回転体９ｂ、第１通電遮断部９ｅ、第２通電遮断部９ｆ及び第３通電遮断部９ｇについて説明する。
加熱回転体９ａは、直径３１．４［ｍｍ］、肉厚０．３５［ｍｍ］の鉄管が用いられる。鉄管の表面には、離型性の良いフッ素樹脂（例えば、ＰＦＡやＰＴＦＥ）の被膜が形成される。
加圧回転体９ｂは、直径３０［ｍｍ］の鉄芯金の上にシリコーンゴムの弾性層が形成される。さらに、弾性層の上には、フッ素樹脂（例えば、ＰＦＡ）チューブが被覆される。このような加圧回転体９ｂは、加熱回転体９ａに対して７０［Ｎ］の荷重が加われるように押圧される。
これにより、加熱回転体９ａと加圧回転体９ｂとにより形成される定着ニップは、約７［ｍｍ］（用紙の搬送方向の長さ）となる。
【００７８】
加熱回転体９ａの内側には、第１昇温部９ｃ及び第２昇温部９ｄが配置される。第１昇温部９ｃ及び第２昇温部９ｄは、不図示の制御部に接続される。第１昇温部９ｃ及び第２昇温部９ｄは、制御部により制御されることにより、ウォームアップ、印刷待機及び印刷中の各状態に合わせて点灯が配分され、加熱回転体９ａの表面温度を均一、且つ、最適に保つようになっている。
【００７９】
第１通電遮断部９ｅは、加熱回転体９ａの中央（０［ｍｍ］）から一方の端部９ｍ側に４２［ｍｍ］の位置に配置される。
第２通電遮断部９ｆは、加熱回転体９ａの中央から一方の端部９ｍ側に１２２［ｍｍ］の位置に配置される。
第３通電遮断部９ｇは、第１昇温部９ｃのみに通電されるときの加熱回転体９ａの境界部の温度と、第２昇温部９ｄのみに通電されるときの加熱回転体９ａの境界部の温度とが同等となる位置、すなわち、加熱回転体９ａの中央から他方の端部９ｎ側に９７［ｍｍ］の位置に配置される。
なお、加熱回転体９ａの中央（０［ｍｍ］）から一方の端部９ｍ（他方の端部９ｎ）までの長さは、１５０［ｍｍ］（−１５０［ｍｍ］）である。
【００８０】
このような場合において、第１通電遮断部９ｅは、加熱回転体９ａの温度が４００［℃］（所定の第１温度）に到達した場合、第１昇温部９ｃへの通電を遮断する。
また、第２通電遮断部９ｆは、加熱回転体９ａの温度が４００［℃］（所定の第２温度）に到達した場合、第２昇温部９ｄへの通電を遮断する。
また、第３通電遮断部９ｇは、加熱回転体９ａの温度が６００［℃］（所定の第３温度）に到達した場合、第１昇温部９ｃ及び第２昇温部９ｄへの通電を遮断する。
【００８１】
以上のような本実施形態の定着装置９によれば、以下の効果が奏される。
本実施形態によれば、加熱回転体９ａにおける中央部９ｑと端部９ｎとの境界部に第３通電遮断部９ｇを配置したので、第１通電遮断部９ｅ又は第２通電遮断部９ｆが故障した場合でも、第３通電遮断部９ｇにより第１昇温部９ｃ及び第２昇温部９ｄへの通電を遮断することができる。
例えば、加熱回転体９ａと加圧回転体９ｂとの間に用紙が挟まった状態で第１昇温部９ｃ又は第２昇温部９ｄが過昇温となった場合でも、定着装置９は、発煙や発火が発生しない安全なレベルにおいて第１昇温部９ｃ及び第２昇温部９ｄへの通電を遮断する。
このように、定着装置９は、第１通電遮断部９ｅ、第２通電遮断部９ｆ及び第３通電遮断部９ｇをそれぞれ適切な位置に配置したので、定着装置９のコスト上昇を抑えつつ、安全性を確保することができる。
【００８２】
なお、本発明の定着装置９は、図２に示す構成に限定されることはなく、他の構成であってもよい。図５は、変形例に係る定着装置９を説明するための模式図である。
図５に示すように、定着装置９は、加熱回転体９ａと、第１通電遮断部９ｅと、第２通電遮断部９ｆと、第３通電遮断部９ｇとを備える。
【００８３】
加熱回転体９ａは、並列接続された第１昇温部９ｃと第２昇温部９ｄとを備える。第１昇温部９ｃ及び第２昇温部９ｄの一方の端部は、通電部９ｋに接続される。また、第１昇温部９ｃ及び第２昇温部９ｄの他方の端部は、第３通電遮断部９ｇと、第１通電遮断部９ｅと、第２通電遮断部９ｆとを介して、通電部９ｋに接続される。
【００８４】
第１通電遮断部９ｅは、加熱回転体９ａの中央部９ｑに対応して配置される。第１通電遮断部９ｅは、加熱回転体９ａの中央部９ｑの温度が所定の第１温度に到達した場合に第１昇温部９ｃ及び第２昇温部９ｄへの通電を遮断する。
第２通電遮断部９ｆは、加熱回転体９ａの端部９ｍに対応して配置される。第２通電遮断部９ｆは、加熱回転体９ａの端部９ｍの温度が所定の第２温度に到達した場合に第１昇温部９ｃ及び第２昇温部９ｄへの通電を遮断する。
第３通電遮断部９ｇは、加熱回転体９ａの中央部９ｑと端部９ｎとの境界部に対応して配置される。第３通電遮断部９ｇは、加熱回転体９ａにおける境界部の温度が所定の第３温度に到達した場合に第１昇温部９ｃ及び第２昇温部９ｄへの通電を遮断する。
【００８５】
このように、定着装置９は、加熱回転体９ａにおける中央部９ｑと端部９ｎとの境界部に第３通電遮断部９ｇを配置したので、第１通電遮断部９ｅ又は第２通電遮断部９ｆが故障した場合でも、第３通電遮断部９ｇにより第１昇温部９ｃ及び第２昇温部９ｄへの通電を遮断することができる。
例えば、加熱回転体９ａと加圧回転体９ｂとの間に用紙が挟まった状態で第１昇温部９ｃ又は第２昇温部９ｄが過昇温となった場合でも、定着装置９は、発煙や発火が発生しない安全なレベルにおいて第１昇温部９ｃ及び第２昇温部９ｄへの通電を遮断する。
よって、定着装置９は、第１通電遮断部９ｅ、第２通電遮断部９ｆ及び第３通電遮断部９ｇをそれぞれ適切な位置に配置したので、定着装置９のコスト上昇を抑えつつ、安全性を確保することができる。
【００８６】
また、画像形成装置の種類は、特に限定がなく、コピー機、プリンタ、ファクシミリ、又はこれらの複合機などであってもよい。
また、シート状の被転写材は、用紙に制限されず、例えば、フィルムシートであってもよい。
【符号の説明】
【００８７】
１…プリンタ（画像形成装置）、９…定着装置、９ａ…加熱回転体、９ｃ…第１昇温部、９ｄ…第２昇温部、９ｅ…第１通電遮断部、９ｆ…第２通電遮断部、９ｇ…第３通電遮断部
【図１】
2011112979.tif 000004
【図２】
2011112979.tif 000005
【図３】
2011112979.tif 000006
【図４】
2011112979.tif 000007
【図５】
2011112979.tif 000008